(57)【要約】【課題】シャーシに装着した固定具をシャーシの表面側から取り外すことを可能にする。【解決手段】ケーブルを保持するサドル部１０の直下を外れた位置に嵌合部２０が設けられる。嵌合部２０は基部２１の下面から突出されたポスト２２の先端に設けられてシャーシ２の透孔３に嵌合される一対の嵌合片２３と、嵌合片２３に連結片２４を介して連結する解除片２５とを備える。解除片２５を指で摘んで内径方向に変形することで嵌合片２３を縮径方向に変形し、シャーシ２の透孔３に対するミニサドル（固定具）の着脱を容易なのもにする。【選択図】  図１
2004218762.tif 000002
【特許請求の範囲】
【請求項１】
シャーシに対して部品を保持させるための保持部と、前記保持部と一体に設けられ、前記シャーシに設けられた透孔に嵌合して前記保持部を前記シャーシに固定するための嵌合部とを備える固定具において、前記嵌合部は前記保持部の直下位置から外れた一側部に配置され、前記嵌合部は、前記保持部の一側から下方に向けて突出されたポストと、前記ポストの先端部に設けられ、外径方向に弾性変形して前記透孔に嵌合される矢尻型をした一対の嵌合片と、前記嵌合片の先端部からそれぞれ外方に突出され、手操作されたときに前記一対の嵌合片を内径方向に弾性変形して前記透孔との嵌合から離脱させるための一対の解除片とを備えることを特徴とする固定具。
【発明の詳細な説明】
【０００１】
【発明の属する技術分野】
本発明は電子機器等のシャーシに電子部品やケーブル等を実装するために用いる固定具に関し、特にシャーシの表面側からの取り外しを容易に行うことが可能な固定具に関するものである。
【０００２】
【従来の技術】
電子機器を組み立てる場合には、パネル、シャーシ、基板等の組立基板（以下、これらをシャーシと称する）に電子部品を取り付けたり、ケーブル等の配線部品を延設配置する必要があり、そのために実装用部品としての固定具が用いられる。例えば、シャーシの表面に沿って複数本のケーブルを並列状態に延設配置する場合には、複数本のケーブルを一括した状態でシャーシに保持するためのワイヤーサドルと称される固定具が用いられる。従来のワイヤサドルの一例を図７に示す。このワイヤサドル１Ｂはミニサドルとも称されており、上向き「コ」字状をしたサドル部１０と、当該サドル部１０の下面から下方に突出された嵌合部３０とを備えて樹脂成形により形成されている。サドル部１０は、上方に向けて開放された上向き「コ」字状のサドル本体１１の両端部にそれぞれ内方に向けて突出され、かつそれぞれの先端部が上下に重なる一対の係止片１２，１３を一体に有している。そして、保持するケーブルＣをサドル部１０の開口内に向けて押し込むことにより、両係止片１２，１３は弾性変形されてケーブルＣの挿通を許し、その後に弾性復帰して開口を閉塞することでケーブルＣがサドル部１０から脱落しないようになっている。
【０００３】
また、嵌合部３０はサドル部１０の底面から下方に突出したポスト３２の先端部に基端に向けて矢尻状をした一対の嵌合片３３，３３が連結されており、これら嵌合片３３，３３の先端部には厚さの薄い突片３６，３６が形成され、この突片３６，３６の外側に径方向の段部３３ａ，３３ａが形成されている。そして、嵌合部３０をシャーシ２に設けた透孔３内に表面側から挿入すると、一対の嵌合片３３，３３は弾性により縮径されて透孔３を通り、通過後は弾性復帰して拡径することで嵌合片３３，３３の先端部に設けた段部３３ａ，３３ａが透孔３の内縁部に嵌合する。また、このときサドル本体１１の下面の両側に設けられた突部１１ａ，１１ａがシャーシ２の表面側に当接され、この当接力によって段部３３ａ，３３ａと透孔３との嵌合状態が保持される。これによりミニサドル１Ｂはシャーシ２に固定される。なお、このような構成の嵌合部を備えた固定具としては、例えば特許文献１に電線束クランプとして記載されているものがある。
【０００４】
【特許文献１】特開平９−２４２９３６号公報
【０００５】
【発明が解決しようとする課題】
ところで、近年における家電製品、ＯＡ機器、自動車、電子機器全般において環境問題の解決策として環境配慮型製品の販売が義務付けられている中で、例えば、電子機器に内装したプリント基板や配線を電子機器のシャーシやパネル等から解体可能にすることが要求されている。特に、配線を解体する際には、配線や、これを保持しているワイヤサドルをシャーシの表面側から取り外すことが望まれる。しかしながら、図７に示した従来のミニサドル１Ｂでは、嵌合部３０がサドル部１０の下面とシャーシ２との間に隠れた状態で配置されているため、ミニサドル１Ｂをシャーシ２から取り外す際にはシャーシ２の表面側から嵌合部３０を操作することができず、シャーシ２の裏面側から操作して一対の嵌合片３３，３３を縮径させ、透孔３を挿通させる必要がある。そのため、シャーシ２の表面側からの取り外しを行うことができず、前記したような取り外しフリーの要望を満たすことができず、これに加えて、嵌合片３３，３３が小さくて指で掴み難いためにその操作が極めて行い難いものになるという問題がある。
【０００６】
本発明の目的は、シャーシの表面側からの取り外しを容易に行うことを可能にした固定具を提供するものである。
【０００７】
【課題を解決するための手段】
本発明は、シャーシに対して部品を保持させるための保持部と、前記保持部と一体に設けられ、前記シャーシに設けられた透孔に嵌合して前記保持部を前記シャーシに固定するための嵌合部とを備える固定具において、前記嵌合部は前記保持部の直下位置から外れた一側部に配置され、前記嵌合部は、前記保持部の一側から下方に向けて突出されたポストと、前記ポストの先端部に設けられ、外径方向に弾性変形して前記透孔に嵌合される矢尻型をした一対の嵌合片と、前記嵌合片の先端部からそれぞれ外方に突出され、手操作されたときに前記一対の嵌合片を内径方向に弾性変形して前記透孔との嵌合から離脱させるための一対の解除片とを備えている。
【０００８】
本発明によれば、嵌合部に設けた一体の解除片を両外側から指で摘んで嵌合片を内径方向に弾性変形させることでシャーシの透孔から固定具を容易に取り外すことができる。特に、嵌合部は保持部の直下には存在せず、その一側に存在しているので解除片の操作は容易であり、取り外しを容易に行うことができる。また、保持部を含めた固定具の高さ寸法が大きくなることもない。
【０００９】
【発明の実施の形態】
次に、本発明の実施形態を図面を参照して説明する。図１は本発明の固定具としてワイヤサドル、特にミニサドルに適用した実施形態の斜視図、図２（ａ），（ｂ），（ｃ）はその正面図、平面図、右側面図である。これらの図において、ミニサドル１は、図外のケーブルを保持する保持部として、ここではサドル部１０と、このサドル部１０をシャーシに固定するための嵌合部２０とで構成されており、樹脂成形により一体に形成されている。そして、前記嵌合部２０がシャーシ２に設けられた透孔３に嵌入されることでシャーシ２に取着されるようになっている。
【００１０】
前記サドル部１０は、幅寸法に比較して左右長さ寸法及び上下長さ寸法が大きく、概ね上部に開口を有する上向き「コ」字状をしたサドル本体１１を有しており、このサドル本体１１の上方に向けて開放された両端部にそれぞれ内方に向けて突出する一対の係止片１２，１３を有している。これら一対の係止片１２，１３は、それぞれの先端部が幾分下方に傾斜するように突出された上で、両先端部が互いに上下方向に近接した状態で重ねられている。この構成のサドル部１０では、保持しようとするケーブルをサドル本体１１の開口から内部に向けて押し込むことにより、両係止片１２，１３は弾性変形されてケーブルの挿通を許し、その後に弾性復帰して開口を閉塞することでケーブルがサドル部１０から脱落しないようになっている。
【００１１】
また、嵌合部２０は前記サドル本体１１の下辺の一側部から幅方向に突出した基部２１を有しており、この基部２１によって嵌合部２０は前記サドル部１０の直下位置から側方に外れた位置に形成されている。前記嵌合部２０は前記基部２１の下面から所要の長さで下方に突出した細長い板状のポスト２２を備えている。前記ポスト２２の下側の先端部にはそれぞれ基部方向に向けて徐々に板厚が増加され、径方向に弾性変形可能な一対の嵌合片２３，２３が連結されており、嵌合部全体として矢尻型に形成されている。前記一対の嵌合片２３，２３の外側面は、図２（ｄ）にＡ−Ａ線断面図を示すように、前記ポスト２２を中心とした円弧状とされ、円形の輪郭の一部を構成するようになっている。また、前記一対の嵌合片２３，２３の先端部にはそれぞれ板厚の小さい連結片２４，２４が一体に連結形成されており、当該先端部の外側面には前記連結片２４，２４と嵌合片２３，２３との板厚の差に相当する径方向の段部２３ａ，２３ａが形成されている。前記一対の連結片２４，２４の他端は前記基部２１に近接する位置に配置されており、この他端には前記基部２１よりも上方に向けてしかも互いに離反するように外側に向けて翼状に広げられた一対の解除片２５，２５が一体に形成されている。なお、これら一対の解除片２５，２５の先端部は後述するように指で摘んだときに指先が痛くならないように断面が円形に形成されている。また、摘む際に解除片２５，２５自身が変形されることがないように所要の厚さに形成されている。
【００１２】
以上の構成のミニサドル１によれば、ミニサドル１をシャーシ２の透孔３に取着する際には、図３及び図５（ａ）に示すように、作業者はミニサドル１の嵌合部２０をシャーシ２の上面側から透孔３に挿入する。このようにして挿入することにより、嵌合部２０の一対の嵌合片２３，２３は内径方向に弾性変形されて縮径され、透孔３内の挿入を可能にする。そして、図５（ｂ）に示すように、嵌合片２３，２３が透孔３を貫通すると、嵌合片２３，２３は弾性力によって復元して外径方向に拡径し、段部２３ａ，２３ａがシャーシ２の下面において透孔３の内縁部に係合する。これにより、ミニサドル１を上方に引っ張った場合でも、段部２３ａ，２３ａと透孔３との係合によって嵌合部２０が透孔３から挿脱されることがなく、ミニサドル１をシャーシ２に固定することができる。
【００１３】
しかる上で、図４に示すように、シャーシ２の上面に延設しようとするケーブルＣをサドル部１０のサドル本体１１の開口から内部に内に押し込むことにより、両係止片１２，１３は弾性変形されてケーブルＣの挿通を許し、その後に弾性復帰して開口を閉塞することでケーブルＣはサドル部１０から脱落することがなく、シャーシ２に保持される。なお、以上の作業は、先にケーブルＣをサドル部１０に挿通保持させた上で、ミニサドル１の嵌合部２０をシャーシ２の透孔３に嵌合させるようにしてもよい。
【００１４】
一方、シャーシ２に対して取着状態にあるミニサドル１をシャーシ２から取り外す際には、図３及び図５（ｃ）にそれぞれ鎖線で示すように、２本の指Ｆで解除片２５，２５を両外側から摘み、かつ両側から力を加えて解除片２５，２５を内側に変形させる。この変形により、図５（ｃ）に示すように、解除片２５，２５と一体の連結片２４，２４も内側に向けて変形される。したがって、連結片２４，２４と一体の嵌合片２３，２３も内側に変形されて縮径され、段部２３ａ，２３ａが透孔３の内縁部から外れることになる。したがって、そのままミニサドル１をシャーシ２の上方に引き上げることで嵌合部２０を透孔３から引き抜くことができ、ミニサドル１の取り外しが実現できる。
【００１５】
また、このミニサドル１では、解除片２５，２５がサドル部１０の直下ではなく一側部に配置されているので、前述したミニサドル１の取り外し時に、指Ｆで解除片２５，２５を摘む際にサドル部１０が邪魔になることはなく、操作を容易なものとする。さらに、仮に嵌合部２０をサドル部１０の直下に配置した場合には、サドル部１０と解除片２５，２５との干渉を避けるためにサドル部１０を高い位置に形成する必要が生じてミニサドル全体の上下方向の寸法が長くなってしまうが、嵌合部２０をサドル部１０の直下ではなくの一側に配置したことでサドル部１０の高さを高く必要はなく、ミニサドル全体の上下方向の寸法を小さくすることが可能になる。
【００１６】
その一方で、図４に示したようにワイヤＣをシャーシ２上に保持したときには、ワイヤＣは一対の解除片２５，２５の間に延設されるため、ワイヤＣを延設する上での障害になることもない。また、これにより外力が解除片２５，２５に加えられた場合でも、解除片２５，２５はワイヤＣとの当接によって内方への変形が抑制されるため、解除片２５，２５によって嵌合片２３，２３が内径方向に変形されることもなく、嵌合部２０が透孔３から離脱されてしまうことはない。
【００１７】
さらに、一対の解除片２５，２５の弾性力が大きくなるように設計すれば、連結片２４，２４を介して嵌合片２３，２３の弾性力も大きくなり、透孔３に対する嵌合力を大きくして嵌合部２０での嵌合力を高め、ミニサドル１の固定強度を高めることが可能になる。特に、シャーシ２の厚さにばらつきがあるような場合でも固定状態を安定なものにできる。また、このように解除片２５，２５の弾性力を大きくしても、解除片２５，２５を長めにしてモーメント長が長くなるように設計することにより、ミニサドル１を取り外す際の解除片２５，２５に対する操作力を低減でき、取り外しが困難になるようなこともない。
【００１８】
以上のように、本実施形態のミニサドル１は、シャーシ２の透孔３にミニサドル１を取着する作業及び離脱作業を容易に行うことができ、環境問題の解決策として電気製品のプリント基板や配線をシャーシやパネル等から解体する際の作業を容易にする一方で、シャーシ２に取着したミニサドル１がシャーシ２から容易に離脱することがなく、ミニサドル１によるケーブル保持の信頼性を向上することが可能になる。
【００１９】
ここで、前記実施形態では本発明をケーブルタイに適用した実施形態を示してたが、ミニサドル以外のケーブルサドル、特に図６に示すようにサドル本体１１の開口を開閉可能な係止片１４の先端部にロック片１５を有し、このロック片１５をサドル本体１１に設けたロック部１６に対してロック可能なサドル部１０Ａを有して、ケーブルをより離脱し難くしたロッキングワイヤサドル１Ａの嵌合部２０としても本発明を適用することが可能である。なお、嵌合部２０は前記ミニサドル１の構成と同じであるので、同一符号を付してその説明は省略する。
【００２０】
さらに、本発明の固定具は、保持部の構造が前記ミニサドルに限定されるものではなく、個々の図示は省略するが、嵌合部をシャーシに設けた透孔に嵌合して取着し、保持部において各種部品をシャーシに保持させる各種の固定具についても同様に適用できることは言うまでもない。
【００２１】
【発明の効果】
以上説明したように本発明の固定具は、嵌合部は保持部の直下位置から外れた一側部に配置されるとともに、手操作されたときに嵌合部における嵌合状態を解消して固定具をシャーシから離脱させるための一対の解除片を備えているので、解除片を両外側から指で摘んで嵌合片を内径方向に弾性変形させることでシャーシの透孔から固定具を容易に取り外すことができ、取り外しフリーの要求に応えることが可能になる。特に、嵌合部は保持部の直下には存在せず、その一側に存在しているので解除片の操作は容易であり、取り外しを容易に行うことができる。また、嵌合部は保持部の直下に存在していないため、保持部の高さ寸法が大きくなることはなく、小型の固定具が構成できる。
【図面の簡単な説明】
【図１】本発明をミニサドルに適用した実施形態の斜視図である。
【図２】ミニサドルの平面図、正面図、右側面図、Ａ−Ａ線断面図である。
【図３】ミニサドルの装着状態を説明するための斜視図である。
【図４】ミニサドルでケーブルを保持した状態を示す斜視図である。
【図５】ミニサドルの装着及び離脱の各動作を説明するための正面図である。
【図６】ロッキングワイヤサドルの正面図である。
【図７】従来のワイヤサドルの正面図である。
【符号の説明】
１  ミニサドル（固定具）
２  シャーシ
３  透孔
１０  サドル部
１１  サドル本体
１２，１３  係止片
１４  係止片
１５  ロック片
１６  ロック部
２０  嵌合部
２１  基部
２２  ポスト
２３  嵌合片
２４  連結片
２５  解除片
Ｃ  ケーブル
Ｆ  指
【図１】
2004218762.tif 000003
【図２】
2004218762.tif 000004
【図３】
2004218762.tif 000005
【図４】
2004218762.tif 000006
【図５】
2004218762.tif 000007
【図６】
2004218762.tif 000008
【図７】
2004218762.tif 000009